(57)【特許請求の範囲】
【請求項１】
被放水試験用ホースに着脱可能に接続されるノズルの口径に対応するノズル保持孔を備えた取付板と、
筐体と、
前記筐体の一側面に設けられ、前記取付板を、前記ノズルの先端が前記筐体内に向くように着脱可能に取り付ける取付板支持部と、
前記筐体の上部に前記ノズルの取付方向にスライド可能に構成された天面に固定された圧力計と、
前記圧力計と前記ノズルの先端に固定されたピトー管と、
前記圧力計と前記ピトー管を連通するホースとからなる圧力検出手段と、
前記筐体内部に配されて前記ノズル先端から流出する水流の圧力を減少させる減圧板手段とを備えた放水試験装置。
【請求項２】
取付板支持部はスライドにより着脱可能に取付板を取付けている請求項１に記載の放水試験装置。
【請求項３】
取付板がねじ止めにより取付板支持部に取り付けられている請求項１に記載の放水試験装置。
【発明の詳細な説明】
【０００１】
【発明の属する技術分野】
本発明は消火栓等の放水試験に用いる放水試験装置に関するものである。
【０００２】
【従来の技術】
消火栓は、万一の場合に確実に作動しなければ意味がないので、定期的に放水試験を行って所定の放水能力を有するかどうかを確認する必要がある。
【０００３】
そのため、ノズルから放水している状態でノズル先端部の水流中にピトー管式圧力検出手段の検出端を位置させ、水流の圧力を測定することによって放水能力の確認を行っている。この試験は実際に放水を行って実施するため、周辺の広い範囲にわたって水が飛散し、特に市街地において試験のための場所を確保することが困難であった。
【０００４】
そこで、水の飛散を防ぎ、また、放水時のノズルに加わる反動による事故を防止するための放水試験装置が使用されている。この装置は、例えば特公平５ー３８７６１号公報に示されるように、筐体の一端に、圧力検出手段を備えたノズルを装着し、筐体の内部に備えられた障壁からなる減圧手段に向かって水を吐出させるもので、水の飛散の防止と安全性の確保の他、作業に要する人手を削減できるという効果がある。
【０００５】
【発明が解決しようとする課題】
しかし、従来の放水試験装置は、１つの装置が１種類の口径のノズルに対応しているため、異なる口径のノズルを用いた消火栓等の放水試験をするためには、別途専用の放水試験装置を用意する必要があった。
【０００６】
消火栓には、例えば屋外消火栓、屋内消火栓、補助散水栓などの種類があり、ノズルの口径がそれぞれ異なるため、すべての種類の消火栓に対応するには多くの種類の放水試験装置を準備しなければならず、１台で多種類のノズルに対応できる装置が望まれていた。
【０００７】
そこで本発明は、ノズルの口径の異なる複数種類の消火栓等の放水試験を、一つの装置で実施することのできる放水試験装置を提供することを目的とするものである。
【０００８】
【課題を解決するための手段】
本発明の放水試験装置は、被放水試験用ホースに着脱可能に接続されるノズルの口径に対応するノズル保持孔を備えた取付板と、筐体と、前記筐体の一側面に設けられ、前記取付板を、前記ノズルの先端が前記筐体内に向くように着脱可能に取り付ける取付板支持部と、前記筐体の上部に前記ノズルの取付方向にスライド可能に構成された天面に固定された圧力計と、前記圧力計と前記ノズルの先端に固定されたピトー管と、前記圧力計と前記ピトー管を連通するホースとからなる圧力検出手段と、前記筐体内部に配されて前記ノズル先端から流出する水流の圧力を減少させる減圧板手段とを備えたことを特徴とする。
【０００９】
本発明による放水試験装置では、所望のノズルを保持した取付板を選択して筐体に取り付けることにより、１つの筐体にすべての種類のノズルを交換して取り付けることができる。
【００１０】
【発明の実施の形態】
以下、本発明の好ましい実施の形態について図面を参照しながら説明する。
【００１１】
図１は本発明の一実施の形態にかかる放水試験装置を示す斜視図である。１は耐食性の金属板で形成した直方体形状の筐体で、前面に取付板２７を装着する取付板支持部３、後面にノズル２から吐出された水を排出する排水口４を備えている。筐体１の上方の開口部５は２枚の天板６、７で覆われ、天板６には取手８、天板７には、圧力計９が取り付けられている。２つの天板６、７はねじ１０で筐体１に固定されている。筐体１の下面１１の４隅のそれぞれにはゴム足１２が取り付けられ、ノズル２から水を吐出したとき、装置が移動することを防いでいる。ノズルチップ２ａの先端にはピトー管３７が装備されており、天板７に取り付けられた圧力計９と、それに連通されている可とう性のチューブ１４と共にピトー管式圧力検出手段１３を構成している。筐体１内の底面部１５には、減圧板１６ａ、１６ｂが、立設されている。
【００１２】
放水試験に用いるノズルとして、口径の異なる複数種類のノズル２が備えられている。これらノズル２としては、例えば呼び２５×８ｍｍ、呼び４０×１３ｍｍ、呼び６５×１９ｍｍの３種類のものが用意されている。なお、例えば呼び２５×８ｍｍとは、着脱されるホースの径が２５ｍｍで、ノズル先端口径が８ｍｍのものをいう。
【００１３】
また、前記各種ノズル２に対応した取付板２７が備えられている。例えば上記３種類のノズル２に対応して、ノズル保持孔２８の径が３４ｍｍ、３６ｍｍ、５５ｍｍの３種類の取付板２７が用意されている。
【００１４】
次に本放水試験装置の各部について、詳細に説明する。
【００１５】
図２は取付板２７を装着している取付板支持部３の詳細を示す断面図、図３は筐体１の一側面（前面）に設けられた取付板支持部３の斜視図である。１７は、ノズル２を筐体内に向けて挿通させるノズル挿通孔で、前面に設けられている。１８は前記前面に平行にスペーサ１９を挟んで設けられた保持板で、前記ノズル挿通孔１７と同軸上にほぼ同じ大きさの、結合金具２ｂを収容する孔２０が設けられている。
【００１６】
ノズル２は、ノズルチップ２ａと、消火栓などのホース２１に付属している雄結合金具２２との接続に使用される結合金具部２ｂとが螺合されて構成されている。両者は、ノズルチップ２ａの基端部２４の内側に形成された雌ねじ２５と、結合金具部２ｂの雄ねじ２６を螺合して形成され、ノズルチップ２ａの基端部２４と結合金具部２ｂの間に取付板２７が挟持されている。
【００１７】
取付板２７には、前記雄ねじ２６の外径より僅かに大きく、かつノズル２の基端部２４の直径より小さいノズル保持孔２８が設けられている。取付板２７は、筐体１の前面と保持板１８の間の、スペーサ１９により形成された隙間２９に挿入されて筐体１にスライド自在に装着されているので、ノズル２が取り付けられていないときは、図３に示すように挿入および取り出しが自在である。
【００１８】
結合金具部２ｂと取付板２７との接触部には、結合金具部２ｂに装着されたシール材３０が圧接しており、水が筐体１の外部へ漏れることを防止している。結合金具２ｂの外周にはゴムリング３１が設けられ、ノズルチップ２ａとの螺合時、手で保持しやすくなっている。結合金具部２ｂの内周面に設けられた爪３２は、バネ３３で付勢され、結合金具部２ｂに消火栓のホース２１に付属している結合金具２２を挿入したとき、同結合金具２２の先端部に設けられた溝３４に填り込み、両者を固定する。結合金具部２ｂの内周面に設けられた溝３５に嵌入されたシール材３６は、雄結合金具２２と結合金具部２ｂの接続部での水の漏れを防止している。
【００１９】
ノズル２の交換は次のようにして行う。初めに、ノズルチップ２ａと結合金具部２ｂとを、両者の螺合を分離して取付板２７から取り外し、取付板２７も取付板支持部３の隙間２９から取り外す。次いで、交換する新しいノズル２のノズルチップ２ａと、結合金具部２ｂに適合した取付板２７を取付板支持部３の隙間２９に挿入する。そして交換後の取付板２７を挟んで、新しいノズル２のノズルチップ２ａと結合金具部２ｂを互いに螺合し結合する。図４の５０は、交換後のノズルを示す。
【００２０】
また、本発明の放水試験装置では、ノズルがあらかじめ固定されている取付板を取付板支持部にねじ止めで取り付けることもできる。すなわち、筐体１の取付板支持部に、連接したノズルチップ２ａの基端部２４と結合金具部２ｂの分割構成部に、上記実施形態のものと同様の取付板を挟持したものの取付板を、ノズルチップ２ａを筐体１内に向けてねじにより筐体１に固定する。
【００２１】
図４の３７はピトー管である。ピトー管３７は略Ｌ字状に形成されており、一端に側方に向かって突出する屈曲部３８を有し、その先端が検出端３９になっている。ピトー管３７の軸心位置にはＬ字状に圧力導入通路４０が穿設されており、ピトー管３７の反検出端側に接続された可とう性のホース１４により、天板７に取り付けられた圧力計９に連通されている。可とう性のホース１４は継手４１、４２により取り外し可能に接続されており、また圧力計９に付属している継手４２は軸心回りに回転自在であるので、ノズル２の交換時の天板７の取り外し作業を容易に行うことができる。
【００２２】
また、ノズルチップ２ａの先端部の外周にはピトー管３７を支持する支持部４３が突出形成されている。この支持部４３先端のボス部４４にはノズルチップ２ａの軸心と平行な支持孔４５が形成されている。
【００２３】
この支持孔４５には、ピトー管３７から延出された取り付け軸４６が挿入される。そしてその先端部の固定ねじ部４７に袋ナット４８を螺合させて締結することによってピトー管３７が支持部４３に固定される。
【００２４】
このように、ピトー管３７は支持部４３に対して着脱可能であるので１つのピトー管３７を全ノズル２に共用することができる。
【００２５】
また以上のようにピトー管３７を支持部４３に固定した状態で、屈曲部３８における圧力導入通路４０が、ノズル２の軸心と同一軸心上に位置し、かつ、屈曲部３８の先端の検出端３９とノズル２の先端との間の距離が所定の距離を保つように構成されている。
【００２６】
減圧板１６ａ、１６ｂは、図５のように、内角約４０度のＶ字形に折り曲げられた、多数の孔を持つ金属板からなり、頂部４９を排水口４の方向に向け、ノズル２から排水口４に向かう方向に間隔を置いて２枚並べて立設されている。ノズル２から吐出された水は、これらの減圧板１６ａ、１６ｂに当たることでその放水圧が２段に減圧されるが、開口率が大きすぎると減圧の効果が小さくなり、反対に小さすぎると水流に対する抵抗が大となり過ぎ、圧力の検出に支障を来すことになるので、開口率の適正な選択が必要である。本実施の形態においては、これら減圧板１６ａ、１６ｂの開口率は、ノズル２に近い方の第１の減圧板１６ａが約４５％、ノズルから遠い方の第２の減圧板１６ｂが約３５％である。
【００２７】
本実施の形態において減圧板１６ａ、１６ｂとしては、パンチングメタルを使用しているが、エキスパンドメタルのような網状のものでもよい。
【００２８】
図６は本発明のさらに他の実施の形態にかかる放水試験装置を示す。本装置において、ピトー管３７はノズル２に取り付けられているため、ノズル２を交換してノズル２の寸法が変わると、圧力計９が固定されている場合はピトー管３７と圧力計９間の距離が伸縮し、ホース１４の材質やその長さによっては、ホース１４を無理に屈曲させたり、交換する必要が生じる場合がある。
【００２９】
そこで図６のように、圧力計９を取り付けている筐体１の一部を、筐体１に対してスライド可能に構成すれば、ノズル２の寸法が変わってもピトー管３７と圧力計９の間の距離を一定に保つことができ、一のホース１４で複数の種類のノズル２に対応することが容易になる。５１は圧力計９が取り付けられた、図の左右方向に移動可能な天板である。本実施の形態によれば、ノズル２を交換してノズル２の先端の位置が図６の左右方向に移動してノズル先端部に装備されたピトー管３７の位置も移動した場合においても、天板５１を移動させてピトー管３７と圧力計９の間隔を一定に保つことができる。
【００３０】
【発明の効果】
本発明の放水試験装置は、複数種類のノズルの中から最適のノズルを選択して放水試験を行うことができるので、各種消火栓等の放水試験を、一つの装置で実施することができる。
【図面の簡単な説明】
【図１】本発明の一実施の形態にかかる放水試験装置の分解斜視図。
【図２】同上放水試験機の取付板支持部の詳細を示す断面図。
【図３】同上放水試験機の筐体の取付板支持部を示す斜視図。
【図４】同上放水試験装置の縦断面図。
【図５】同上放水試験装置の一部切欠平面図。
【図６】本発明の他の実施の形態にかかる放水試験装置を示す縦断面図。
【符号の説明】
１  筐体
２  ノズル
３  取付板支持部
１３  ピトー管式圧力検出手段
１６ａ、１６ｂ  減圧板
２７  取付板
２８  ノズル保持孔
【図１】
0004744009.tif 000002
【図２】
0004744009.tif 000003
【図３】
0004744009.tif 000004
【図４】
0004744009.tif 000005
【図５】
0004744009.tif 000006
【図６】
0004744009.tif 000007